(57)【特許請求の範囲】
【請求項１】
スクリーン枠の上下の横枠にガイドさせて横引きにより開閉可能にした可動框を備え、上記スクリーン枠における側枠と上記可動框との間に、該可動框に回転自在に支持させた巻取軸にスプリングの付勢力で巻取られるスクリーンを横引きにより張設可能にした巻取式スクリーン装置において、
上記巻取軸の上下端の少なくとも一方に、その外径が巻取軸の径よりも大径に形成されたピニオンを設け、
該ピニオンを設けた側の上記スクリーン枠の横枠に、スクリーンの完全な張設状態に近い状態において上記可動框とスクリーン枠の横枠とが接する部位に部分的に上記ピニオンと噛み合うラックを付設し、
上記ラックの付設範囲は、スプリングの付勢力に抗してスクリーンが展張されている状態で上記ピニオンが噛合し、可動框がスクリーンの完全な張設端に達するまでの範囲であり、
上記ピニオンがラックに噛合して回転しながら移動する巻取軸の移動量を、該巻取軸に巻かれたスクリーンがその移動の間に巻取軸に巻取りまたは巻戻しされる長さよりも大とした、
ことを特徴とする巻取式スクリーン装置。
【請求項２】
スクリーン枠の上下の横枠にガイドさせて横引きにより開閉可能にした可動框を備え、上記スクリーン枠における側枠と上記可動框との間に、該可動框に回転自在に支持させた巻取軸にスプリングの付勢力で巻取られるスクリーンを横引きにより張設可能にした巻取式スクリーン装置において、
上記可動框の上下端の少なくとも一方に、巻取軸と連動して回転する複数の相互に噛合するピニオンを設け、
該ピニオンを設けた側の上記スクリーン枠の横枠に、スクリーンの完全な張設状態に近い状態において上記可動框とスクリーン枠の横枠とが接する部位に部分的に上記ピニオンと噛み合うラックを付設し、
上記ラックの付設範囲は、スプリングの付勢力に抗してスクリーンが展張されている状態で上記ピニオンが噛合し、可動框がスクリーンの完全な張設端に達するまでの範囲であり、  
上記ピニオンがラックに噛合して回転しながら移動する巻取軸の移動量を、該巻取軸に巻かれたスクリーンがその移動の間に巻取軸に巻取りまたは巻戻しされる長さよりも大とした、
ことを特徴とする巻取式スクリーン装置。
【発明の詳細な説明】
【０００１】
【発明の属する技術分野】
本発明は、建物開口部等に、遮光、断熱、目隠し、防虫あるいは装飾等のために設置する巻取式スクリーン装置に関するものである。
【０００２】
【従来の技術】
スクリーン枠５２内に横引きにより移動可能にした可動框６０を備え、上記スクリーン枠５２における側枠５６，５７と可動框６０との間に、該可動框６０に支持させた巻取軸６２にスプリングの付勢力で巻取られるスクリーン６４を横引きにより張設可能にした巻取式スクリーン装置は、図６に示すように、従来から知られている。
【０００３】
しかるに、従来の巻取式スクリーン装置においては、スクリーン６４を張設した状態で該スクリーン６４に風等の外力が作用すると、巻取軸６２がスクリーン６４に引っ張られて該巻取軸６２に残っているスクリーン６４を繰り出す方向に回転してしまい、その結果、スクリーン６４が弧を張ってスクリーン枠５２の上下の横枠５４，５５から脱離してしまうため、遮光性、断熱性あるいは防虫性等を必ずしも良好に保持できない、という問題点が指摘されている。
【０００４】
【発明が解決しようとする課題】
叙上に鑑みて、本発明が解決しようとする課題は、スクリーンの張設状態において該スクリーンに風等の外力が作用しても、該スクリーンが弧を張ってスクリーン枠から脱離することがなく、遮光性、断熱性及び防虫性等を良好に保持することができる巻取式スクリーン装置を提供することにある。
【０００５】
【課題を解決するための手段】
上記課題を解決するための本発明の第１の巻取式スクリーン装置は、スクリーン枠の上下の横枠にガイドさせて横引きにより開閉可能にした可動框を備え、上記スクリーン枠における側枠と上記可動框との間に、該可動框に回転自在に支持させた巻取軸にスプリングの付勢力で巻取られるスクリーンを横引きにより張設可能にした巻取式スクリーン装置において、上記巻取軸の上下端の少なくとも一方に、その外径が巻取軸の径よりも大径に形成されたピニオンを設け、該ピニオンを設けた側の上記スクリーン枠の横枠に、スクリーンの完全な張設状態に近い状態において上記可動框とスクリーン枠の横枠とが接する部位に部分的に上記ピニオンと噛み合うラックを付設し、上記ラックの付設範囲は、スプリングの付勢力に抗してスクリーンが展張されている状態で上記ピニオンが噛合し、可動框がスクリーンの完全な張設端に達するまでの範囲であり、上記ピニオンがラックに噛合して回転しながら移動する巻取軸の移動量を、該巻取軸に巻かれたスクリーンがその移動の間に巻取軸に巻取りまたは巻戻しされる長さよりも大としたことを特徴とするものである。
【０００６】
また、上記課題を解決するための本発明の第２の巻取式スクリーン装置は、スクリーン枠の上下の横枠にガイドさせて横引きにより開閉可能にした可動框を備え、上記スクリーン枠における側枠と上記可動框との間に、該可動框に回転自在に支持させた巻取軸にスプリングの付勢力で巻取られるスクリーンを横引きにより張設可能にした巻取式スクリーン装置において、上記可動框の上下端の少なくとも一方に、巻取軸と連動して回転する複数の相互に噛合するピニオンを設け、該ピニオンを設けた側の上記スクリーン枠の横枠に、スクリーンの完全な張設状態に近い状態において上記可動框とスクリーン枠の横枠とが接する部位に部分的に上記ピニオンと噛み合うラックを付設し、上記ラックの付設範囲は、スプリングの付勢力に抗してスクリーンが展張されている状態で上記ピニオンが噛合し、可動框がスクリーンの完全な張設端に達するまでの範囲であり、上記ピニオンがラックに噛合して回転しながら移動する巻取軸の移動量を、該巻取軸に巻かれたスクリーンがその移動の間に巻取軸に巻取りまたは巻戻しされる長さよりも大としたことを特徴とするものである。
【０００８】
上記構成を有する巻取式スクリーン装置は、上記可動框がスクリーンの張設状態をなす位置にあるとき、巻取軸または可動框のピニオンとスクリーン枠における横枠のラックとが相互に噛合するので、スクリーンに風等の外力が作用しても、該スクリーンに引っ張られて巻取軸がスクリーンの繰り出し方向に回転するのを抑止することができる。したがって、スクリーンの張設状態において該スクリーンに風等の外力が作用しても、スクリーンが弧を張ってスクリーン枠における上下の横枠から脱離するのを抑止することができ、延いては遮光性、断熱性あるいは防虫性等を確実に保持することが可能になる。
【０００９】
しかも、上記ラックに噛合して回転しながら移動する巻取軸の移動量を、該巻取軸に常態で巻かれたスクリーンがその移動の間に巻取軸に巻取りまたは巻戻しされる長さよりも大としているので、ピニオンとラックが噛合しながら移動する間に、スクリーンの余分な弛みとなる部分を全て巻取軸に吸収することができ、上記可動框がスクリーンの完全な張設端に達した時点で、該スクリーンを弛みの無い緊張状態に保持することが可能になる。
【００１１】
【発明の実施の形態】
図１乃至図４は、本発明の巻取式スクリーン装置の第１実施例を示している。この巻取式スクリーン装置は、図１に示すように、上下の横枠４，５及び左右の側枠６，７からなるスクリーン枠２内に、横引きにより移動可能にした可動框１０を備え、上記スクリーン枠２の側枠７に、該可動框１０内に回転自在に支持させた巻取軸１２にスプリング１３の付勢力で巻取られるスクリーン１４の一端を固定することにより、該スクリーン１４を上記スクリーン枠２における一方の側枠６と他方の側枠７との間において、可動框１０の移動により開閉可能にしたものである。
【００１２】
上記可動框１０は、図１乃至図３に明確に示すように、スクリーン１４の巻取りのためのスプリング１３を内蔵した巻取軸１２を回転自在に支持しており、該巻取軸１２の上端部には、巻取軸１２と連動して回転するピニオン１８を嵌着している。また、上記スクリーン枠２における上部の横枠４には、スクリーン１４の張設状態またはそれに近い状態において、上記可動框１０とスクリーン枠２の上部の横枠４とが接する部位に、部分的に上記ピニオン１８に噛合するラック２０を形成している。
なお、上記可動框１０には、必要に応じて、該可動框１０によるスクリーン１４の開閉操作時に、該可動框１０を安定的に平行移動させるために平行移動機構を付設することができる。
【００１３】
上記ピニオン１８は、図１及び図２に示すように、上部の略円形のピニオン部１８ａと該ピニオン部１８ａの回転中心から垂下して上記巻取軸１２に嵌着される嵌着部１８ｂとにより側面視略Ｔ字形に形成されており、当該ピニオン１８におけるピニオン部１８ａの外径は、上記巻取軸１２の径よりも大径に形成されている。これにより、該ピニオン１８のピニオン部１８ａが上記ラック２０に噛み合って回転しながら移動する巻取軸１２の移動量が、該巻取軸１２に常態で巻かれたスクリーン１４がその移動の間に巻取軸１２に巻取りまたは巻戻しされる長さよりも大となるようにしている。
上記ラック２０は、スクリーン枠２における上部の横枠４に、スクリーン１４の張設状態またはそれに近い状態において、上記可動框１０とスクリーン枠２における上部の横枠４とが接する部位に部分的に設けたもので、より具体的には、上記スクリーン１４の張設操作時に、巻取軸１２に内蔵されたスプリング１３の付勢力でスクリーン１４が展張されている状態でピニオン１８のピニオン部１８ａが噛合し、巻取軸１２を支持する可動框１０がスクリーン１４の完全な張設端に達した時点でスクリーン１４を緊張状態に保持する範囲に付設されている。
【００１４】
なお、上述の実施例においては、上記ピニオン１８を巻取軸１２の上部に嵌着したものとしているが、それに限定されず、巻取軸１２の下部、あるいは巻取軸１２の上下両部に嵌着した構成とすることができる。この場合、上記スクリーン枠２の横枠に設けるラック２０は、それぞれ下部の横枠５、あるいは上下両部の横枠４，５に設けるのはいうまでもない。
【００１５】
上記構成を有する巻取式スクリーン装置は、上記可動框１０がスクリーン１４の張設状態をなす位置にあるとき、可動框１０の上端のピニオン１８とスクリーン枠２における上部の横枠４のラック２０とが相互に噛合するので、スクリーン１４に風等の外力が作用しても、該スクリーン１４に引っ張られて巻取軸１２がスクリーン１４の繰り出し方向に回転するのを抑止することができる。したがって、上記スクリーン１４の張設状態において該スクリーン１４に風等の外力が作用しても、スクリーン１４が弧を張って上記スクリーン枠２における上下の横枠４，５から脱離するのを抑止することができ、延いては遮光性、断熱性あるいは防虫性等を確実に保持することが可能になる。
【００１６】
また、上記ピニオン１８がラック２０に噛合して回転しながら移動する場合における巻取軸１２の移動量を、該巻取軸１２に常態で巻かれたスクリーン１４がその移動の間に巻取軸１２に巻取りまたは巻戻しされる長さよりも大としているので、上記ピニオン１８とラック２０が噛合しながら移動する間に、スクリーン１４の余分な弛みとなる部分を全て巻取軸１２に巻取ることができ、上記可動框１０がスクリーン１４の完全な張設端に達した時点で、該スクリーン１４を弛みの無い緊張状態に保持することが可能になる。
【００１７】
図５は本発明の巻取式スクリーン装置の第２実施例を示している。
この巻取式スクリーン装置は、主たる構成は前記第１実施例と同様であるが、可動框１０の上端に、巻取軸１２の回転と連動して互いに噛合しながら回転する２つのピニオン３８，３９を設けたものである。なお、この場合、ラック４０に噛み合うところのピニオン３９は上記巻取軸１２の回転とは逆回転となるため、スクリーン枠２の上部の横枠４に付設するラック４０は、前述の第１実施例の場合におけるラック２０とは逆側の横枠４の側部に付設するのはいうまでもない。
【００１８】
このように構成すると、２つのピニオン３８，３９の歯数の調整により、スクリーン枠２における上部の横枠４のラック４０に噛合して回転しながら移動する巻取軸１２の移動量を、スクリーン１４がその移動の間に巻取軸１２に巻取り又は巻戻しされる長さとの関連において、適宜調整することが可能になる。
ここで、この第２実施例の巻取式スクリーン装置のその他の構成及び作用は、実質的に前記第１実施例と同様であるから、同一部分又は相当部分に同一符号を付して、それらの説明を省略する。
【００１９】
【発明の効果】
以上に詳述した本発明の巻取式スクリーン装置によれば、スクリーンの張設状態において該スクリーンに風等の外力が作用しても、該スクリーンが弧を張ってスクリーン枠から脱離することがなく、遮光性、断熱性あるいは防虫性等を良好に保持することができる。
【図面の簡単な説明】
【図１】本発明の第１実施例にかかる巻取式スクリーン装置の正断面図である。
【図２】同Ａ−Ａ線における平断面図である。
【図３】同側断面図である。
【図４】同Ｂ−Ｂ線における平断面図である。
【図５】本発明の第２実施例にかかる巻取式スクリーン装置の正断面図である。
【図６】従来の巻取式スクリーン装置におけるスクリーンがスクリーン枠の横枠から脱離した状態を示す平断面図である。
【符号の説明】
２    スクリーン枠
４，５    横枠
６，７    側枠
１０    可動框
１２    巻取軸
１３    スプリング
１４    スクリーン
１８，３８，３９    ピニオン
２０，４０    ラック
【図１】
0003898087.tif 000002
【図２】
0003898087.tif 000003
【図３】
0003898087.tif 000004
【図４】
0003898087.tif 000005
【図５】
0003898087.tif 000006
【図６】
0003898087.tif 000007